(57)【要約】【課題】従来の人手作業による時間と労力を削減するため、測定作業を自動化し、さらに長時間測定を可能とする映像遅延時間測定方法及びそのシステムと装置を提供する。【解決手段】原画像生成装置１０のＰＣ１１によって、評価映像信号の時間軸方向前後の少なくとも一方に基準映像信号を挿入した映像信号を原画像として生成してインターネット５を介して受信端末装置２に送信する。映像遅延時間測定装置２０は、ＰＣ１１に表示されている原画像６１と受信端末装置２に表示されている測定対象画像６２をカメラ２１により撮影して同一画面上に取り込み、原画像６１と測定対象画像６２のそれぞれにおける評価映像と基準映像との境界を映像の情報量によって検出し、原画像６１と測定対象画像６２のそれぞれにおける境界の時間差を算出することによって映像遅延時間を測定する。【選択図】図１
2005184749.tif 000002
【特許請求の範囲】
【請求項１】
原画像生成装置によって生成された原画像が信号処理部を通過して得られた前記原画像に対して映像遅延時間を有する測定対象画像における前記映像遅延時間を映像遅延時間測定装置によって測定する映像遅延時間測定方法であって、
前記原画像生成装置は、所定の評価映像信号の時間軸方向前後の少なくとも一方に基準映像信号を挿入した映像信号を前記原画像として生成して前記信号処理部を通過させ、
前記映像遅延時間測定装置は、
前記信号処理部を通過した前記原画像を前記測定対象画像として取得すると共に、
前記測定対象画像と同一時間軸上で前記原画像を取得し、
取得した前記原画像と前記測定対象画像のそれぞれにおける評価映像と基準映像との境界を同一時間軸上で検出し、前記原画像と前記測定対象画像のそれぞれにおける前記境界の時間差を算出することによって前記映像遅延時間を測定する
ことを特徴とする映像遅延時間測定方法。
【請求項２】
前記映像遅延時間測定装置は、映像信号における所定の特徴量の変化に基づいて前記境界を検出する
ことを特徴とする請求項１に記載の映像遅延時間測定方法。
【請求項３】
前記映像遅延時間測定装置は、前記映像信号の特徴量として、映像の輝度信号或いはスペクトルアナライザによって検出した映像の波長信号のうちの少なくとも何れか一方の映像情報量レベルを用い、該映像情報量レベルに基づいて前記境界を検出する
ことを特徴とする請求項２に記載の映像遅延時間測定方法。
【請求項４】
前記原画像生成装置は、時間軸上において２つ以上の評価映像信号を所定時間長の基準映像信号で連結した原画像を生成して出力する
ことを特徴とする請求項１乃至請求項３の何れかに記載の映像遅延時間測定方法。
【請求項５】
前記原画像生成装置は、時間軸上において、２つ以上の異なる映像種類の評価映像信号を所定時間長の基準映像信号で連結した原画像を生成して出力する
ことを特徴とする請求項１乃至請求項３の何れかに記載の映像遅延時間測定方法。
【請求項６】
前記映像遅延時間測定装置は、前記映像信号の特徴量を所定時間毎に検出する
ことを特徴とする請求項２又は請求項３に記載の映像遅延時間測定方法。
【請求項７】
前記映像遅延時間測定装置は、表示器に表示された前記原画像と前記測定対象画像とを同一のカメラによって撮影することにより前記原画像と前記測定対象画像を取得する
ことを特徴とする請求項１に記載の映像遅延時間測定方法。
【請求項８】
前記映像遅延時間測定装置は、前記カメラによって撮影した前記原画像と前記測定対象画像を録画しておき、該録画を用いて前記映像遅延時間を測定する
ことを特徴とする請求項７に記載の映像遅延時間測定方法。
【請求項９】
原画像生成装置によって生成された原画像が信号処理部を通過して得られた前記原画像に対して映像遅延時間を有する測定対象画像における前記映像遅延時間を映像遅延時間測定装置によって測定する映像遅延時間測定システムであって、
前記原画像生成装置は、所定の評価映像信号の時間軸方向前後の少なくとも一方に基準映像信号を挿入した映像信号を前記原画像として生成する手段と、
前記生成した原画像を前記信号処理部に出力する手段とを備え、
前記映像遅延時間測定装置は、
前記信号処理部を通過した前記原画像を前記測定対象画像として取得する手段と、
前記測定対象画像と同一時間軸上で前記原画像を取得する手段と、
取得した前記原画像と前記測定対象画像のそれぞれにおける評価映像信号と基準映像信号との境界を同一時間軸上で検出する手段と、
前記原画像と前記測定対象画像のそれぞれにおける前記境界の時間差を算出することによって前記映像遅延時間を測定する手段とを備えている
ことを特徴とする映像遅延時間測定システム。
【請求項１０】
原画像生成装置によって生成された原画像が信号処理部を通過して得られた前記原画像に対して映像遅延時間を有する測定対象画像における前記映像遅延時間を映像遅延時間測定装置によって測定する映像遅延時間測定システムにおける前記原画像生成装置であって、
所定の評価映像信号の時間軸方向前後の少なくとも一方に基準映像信号を挿入した映像信号を前記原画像として生成する原画像生成手段と、
前記生成した原画像を前記信号処理部に出力する出力手段とを備えている
ことを特徴とする原画像生成装置。
【請求項１１】
前記原画像生成手段は、時間軸上において２つ以上の評価映像信号を所定時間長の基準映像信号で連結した原画像を生成して出力する手段を備えている
ことを特徴とする請求項１０に記載の原画像生成装置。
【請求項１２】
前記原画像生成手段は、時間軸上において、２つ以上の異なる映像種類の評価映像信号を所定時間長の基準映像信号で連結した原画像を生成して出力する手段を備えている
ことを特徴とする請求項１０に記載の原画像生成装置。
【請求項１３】
前記基準映像信号は、全ての信号レベルが同一所定値を有する映像信号である
ことを特徴とする請求項１０に記載の原画像生成装置。
【請求項１４】
所定の評価映像信号の時間軸方向前後の少なくとも一方に基準映像信号を挿入した映像信号を原画像として生成する原画像生成装置によって生成された前記原画像が信号処理部を通過して得られた前記原画像に対して映像遅延時間を有する測定対象画像における前記映像遅延時間を測定する映像遅延時間測定装置であって、
前記信号処理部を通過した前記原画像を前記測定対象画像として取得する測定対象画像取得手段と、
前記測定対象画像と同一時間軸上で前記原画像を取得する原画像取得手段と、
取得した前記原画像と前記測定対象画像のそれぞれにおける評価映像信号と基準映像信号との境界を同一時間軸上で検出する境界検出手段と、
前記原画像と前記測定対象画像のそれぞれにおける前記境界の時間差を算出する時間差算出手段とを備えている
ことを特徴とする映像遅延時間測定装置。
【請求項１５】
前記境界検出手段は、映像信号における所定の特徴量の変化に基づいて前記境界を検出する手段を備えている
ことを特徴とする請求項１４に記載の映像遅延時間測定装置。
【請求項１６】
前記境界検出手段は、前記映像信号の特徴量として、映像の輝度信号或いはスペクトルアナライザによって検出した映像の波長信号のうちの少なくとも何れか一方の映像情報量レベルに基づいて前記境界を検出する手段を備えている
ことを特徴とする請求項１５に記載の映像遅延時間測定装置。
【請求項１７】
前記境界検出手段は、前記映像信号の特徴量を所定の単位時間毎に検出する手段を備えている
ことを特徴とする請求項１５又は請求項１６に記載の映像遅延時間測定装置。
【請求項１８】
前記取得した原画像と測定対象画像の映像信号から、前記原画像と前記測定対象画像を同一画面上に表示するための測定映像信号を生成する手段を備えると共に、
前記時間差算出手段は、前記生成された測定映像信号の前記特徴量を収集し、予め設定されている基準映像信号の映像信号特徴量の基隼値（Ｌ０）に対する単位時間あたりの映像信号特徴量の変動が、予め設定されている変動閾値（Ｌ１）を越え、次に検出された単位時間あたりの映像信号特徴量の変動が映像信号レベルの変動幅（△Ｌ）以内である間を映像遅延であると判定して、映像遅延の継続時間長を計測する手段を備えている
ことを特徴とする請求項１５乃至請求項１７の何れかに記載の映像遅延時間測定装置。
【発明の詳細な説明】
【技術分野】
【０００１】
本発明は、映像サービスシステムに関わり、特に映像サービス品質を向上させるための品質管理における映像信号の符号化処理時間やネットワーク伝送時間の変動に伴う映像遅延時間の測定方法及びそのシステムと装置に関するものである。
【背景技術】
【０００２】
従来、映像配信事業者がインターネット等のネットワークを介してユーザに映像を配信するサービスが行われている。この様な映像配信サービスにおいては、ネットワークにおける映像信号の伝送遅延が発生し、映像品質が劣化することがあった。このため、映像配信事業者がユーザに配信される映像の品質状態、特に映像遅延時間をアプリケーションレベルで把握するには、映像フレーム差を目視で測定する必要があった。
【０００３】
この様な測定の一手法としては、例えば、映像信号の符号化処理時間やネットワーク伝送時間の変動に伴う映像遅延時間を測定する際に、タイムコードを表示させた原画像を用い、この原画像と、原画像を符号化処理回路やネットワークなどの映像遅延部を通過させて得られた測定対象画像を同一画面内に表示させて録画し、録画媒体に記録されているタイムコードを原画象と測定対象画像のそれぞれについて拾い、その差分を映像遅延時間とする手法が知られている。
【０００４】
また、原画像として、１フレ―ムごとにカウンタを上げる映像を作成し、その原画像と測定対象画像を同一画面内に表示させて録画し、録画媒体に記録されているそれぞれのカウンタ値を拾い、その差分を映像遅延時間とする手法も知られている。こらのいずれの手法も人手による作業で行っていた。
【非特許文献１】岡崎勝彦ほか："インターネットにおける双方向映像通信のend‐end遅延の測定"、2003年電子情報通信学会通信ソサイエティ大会、B-11-19、2003.9.
【非特許文献２】ＡＴＭ公衆網における伝送遅延の影響に関する研究（http://www.jgn.tao.go.jp/06-act/06-3/panel2001/G11029.pdf）
【発明の開示】
【発明が解決しようとする課題】
【０００５】
前述したように、映像の符号化復号化処理による映像遅延やネットワークの伝送遅延などによる映像遅延時間を測定するためには、従来、目視作業で遅延時間の測定を行ってきた。このため、測定対象となる映像の種類が複数存在するなどの測定条件が多い場合は、各映像について記録媒体のタイムコードを人間が目視で拾う作業は人手と時間を有する。特に、遅延時間の変動状況を測定するためには、長時間測定する必要があり、一定時間ごとに目視作業でタイムコードを拾う作業は時間を要するため極めて困難であった。
【０００６】
本発明は上記の問題点に鑑みてなされたものであり、その目的とするところは、上述したような従来の人手作業による時間と労力を削減するため、測定作業を自動化し、さらに長時間測定を可能とする映像遅延時間測定方法及びそのシステムと装置を提供することである。
【課題を解決するための手段】
【０００７】
本発明は上記の目的を達成するために、原画像生成装置によって生成された原画像が信号処理部を通過して得られた前記原画像に対して映像遅延時間を有する測定対象画像における前記映像遅延時間を映像遅延時間測定装置によって測定する際に、前記原画像生成装置は、所定の評価映像信号の時間軸方向前後の少なくとも一方に基準映像信号を挿入した映像信号を前記原画像として生成して前記信号処理部を通過させ、前記映像遅延時間測定装置は、前記信号処理部を通過した前記原画像を前記測定対象画像として取得すると共に、前記測定対象画像と同一時間軸上で前記原画像を取得し、取得した前記原画像と前記測定対象画像のそれぞれにおける評価映像と基準映像との境界を同一時間軸上で検出し、前記原画像と前記測定対象画像のそれぞれにおける前記境界の時間差を算出することによって前記映像遅延時間を測定することを最も主要な特徴とする。
【発明の効果】
【０００８】
映像配信事業者が、ユーザに配信される映像の品質状態、特に映像遅延時間をアプリケーションレベルで把握するためは、映像フレーム差を目視で測定する必要があったが、本発明の映像遅延時間測定方法或いはそのシステム又は装置を用いることにより、映像遅延時間を自動的に測定できると共に、映像遅延時間の変動を時系列で測定でき、さらには映像遅延時間をリアルタイムで測定することも可能となり、映像品質の向上に貢献することができる。
【発明を実施するための最良の形態】
【０００９】
以下、図面に基づいて本発明の一実施形態を説明する。
【００１０】
図１は本発明の一実施形態における映像遅延時間測定システムを示す構成図である。図において、１は映像遅延時間測定システム、２は受信端末装置、３はインターネットサービスプロバイダ（以下、ＩＳＰ−Ａと称する）、４はインターネットサービスプロバイダ（以下、ＩＳＰ−Ｂと称する）、５は通信ネットワークとしてのインターネットである。
【００１１】
映像遅延時間測定システム１は、原画像生成装置１０と映像遅延時間測定装置２０とから構成され、原画像生成装置１０は、原画像を生成するパーソナルコンピュータ（以下、単にＰＣと称する）１１と、ビデオカメラ（以下、単にカメラと称する）１２、送信端末装置１３とから構成されている。
【００１２】
ＰＣ１１は、映像遅延時間を測定するための原画像を生成して、この原画像を表示器に表示する。図２に示すように、ＰＣ１１が生成する原画像６１は、所定の評価映像信号（以下、単に評価映像と称する）８１に対してその時間軸方向前後に基準映像信号（以下、単に基準映像と称する）８２を連結してなる映像信号であり、評価映像の時間長はＴ１に設定され、基準映像８２の時間長はＴ２に設定されている。尚、時間長Ｔ１，Ｔ２のそれぞれは複数フレームを含むように設定された時間であり、本実施形態では映像のフレームを３３ｍｓ単位としている。また、基準映像８２としてはグレー信号もしくはブラック信号のように信号レベルが一定値のものが望ましい。また、評価映像８１の時間軸方向前後の何れか一方に基準映像８２を連結してなる映像を原画像６１としても良い。
【００１３】
カメラ１２は、ＰＣ１１の表示器に表示された原画像を撮影して電気信号に変換し、変換された映像信号を送信端末装置１３に出力する。
【００１４】
送信端末装置１３は、カメラ１２から入力した映像信号をＩＳＰ−Ａ（３）、インターネット５、ＩＳＰ−Ｂ（４）の順に経由させて受信端末装置２へ送信する。尚、ＰＣ１１によって生成した原画像６１をカメラ１２を介さずに直接送信端末装置１３に送出するようにしても良いし、ＰＣ１１に送信端末装置１３の機能を持たせても良い。また、評価映像８１は音声を含むものであっても良い。
【００１５】
受信端末装置２は、原画像生成装置１０から映像信号を受信し、この映像信号が表す映像を測定対象画像として表示器に表示する。
【００１６】
映像遅延時間測定装置２０は、ビデオカメラ（以下、単にカメラと称する）２１、情報量測定装置２２、映像遅延時間演算処理装置２３、出力装置２４から構成されている。
【００１７】
カメラ２１は、ＰＣ１１の表示器に表示された原画像６１と受信端末装置２の表示器に表示された測定対象画像６２の両方を同一画面に入るように撮影し、これを電気信号に変換して測定映像信号として情報量測定装置２２に出力する。これにより、情報量測定装置２２には図３に示すような同一画面６に原画像６１と測定対象画像６２が映し出される映像が入力されればよいのであり、例えば、図４に示すようにカメラ２１で撮影した映像を一旦録画装置２５で録画して、この録画した映像を情報量測定装置２２に入力しても良い。また、図５に示すように、パーソナルコンピュータ２６にＰＣ１１から原画像６１の映像信号を入力すると共に受信端末装置２から測定対象画像６２の映像信号を入力してこれらの映像を合成して同一画面６に原画像６１と測定対象画像６２が映し出される映像を作成し、このように合成した映像を録画装置２５で録画して、この録画した映像を情報量測定装置２２に入力しても良い。
【００１８】
情報量測定装置２２は、入力した映像信号に基づいて、映像の輝度信号のレベル或いはスペクトルアナライザによる波形信号のレベル等の情報量又はこれらの双方の情報量のレベルを検出し、この検出した映像情報量レベルのデータを映像遅延時間演算処理装置２３に出力する。尚、情報量測定装置２２は入力した映像信号が基準映像８２のみを含む信号であるか否か、基準映像８２と評価映像８１を含む信号であるか否か、２つの評価映像８１を含む信号であるか否かを判別可能な情報量を測定できる装置であればよい。ここで、情報量測定装置２２に入力された映像信号が、基準映像８２と評価映像８１を含む信号であるときは、原画像６１が評価映像８１であり且つ測定対象画像６２が基準映像８２である場合と、原画像６１が基準映像８２であり且つ測定対象画像６２が評価映像８１である場合を含む。また、情報量測定装置２２に入力された映像信号が２つの評価映像８１を含む信号であるときは、原画像６１が評価映像８１であり且つ測定対象画像６２も評価映像８１の場合である。
【００１９】
映像遅延時間演算処理装置２３は、周知のパーソナルコンピュータからなり、予めインストールされている映像遅延時間演算処理プログラムに基づいて動作し、情報量測定装置２２から入力した情報量の変動を観測すると共に原画像６１に対する測定対象画像６２の映像遅延時間を算出して出力装置２４に出力する。即ち、映像遅延時間演算処理装置２３は、閾値判定用テーブル７２と映像信号情報量閾値超過判定機能部７３及びフレーム数積算器７４を有する映像信号情報量閾値超過判定装置７１を備えている。この映像信号情報量閾値超過判定装置７１はハードウエア及びソフトウエアの両方によって構成されている。
【００２０】
閾値判定用テーブル７２は、基準映像閾値表721と、基準映像種類指定部722、評価映像種類別閾値表723、映像種類指定部724を有している。
【００２１】
基準映像閾値表721には、基準映像８２の種類に対応付けて基準映像８２の情報量レベルＬ０が記憶されている。尚、本実施形態では、ＰＣ１１及び基準映像閾値表721において基準映像８２として「基準映像１」、「基準映像２」、「基準映像３」の３種類が予め設定されており、これらの基準映像８２のうちのどれを用いるかは、キーボードやマウス等の入力手段を介して入力された操作員の指示に基づいて、基準映像種類指定部722によってＰＣ１１に対しても指定できるようになっている。
【００２２】
評価映像種類別閾値表723はＰＣ１１に備えられている評価映像の種類毎に設けられており、各評価映像種類別閾値表723には、基準映像８２の種類毎に評価映像８１と基準映像８２の映像情報量レベルの差分Ｌ１及び評価映像８１の映像情報量レベルの変動幅ΔＬが記憶されている。尚、本実施形態では上記のように３種類の基準映像８２を用いることができるので、評価映像種類別閾値表723では基準映像８２の種類として「映像１」、「映像２」、「映像３」と表し、それぞれに対応して差分Ｌ１と変動幅ΔＬが記憶されている。また、ＰＣ１１には２種類以上の評価映像８１が備えられており、これら複数ある評価映像８１のうちのどれを用いるかは、キーボードやマウス等の入力手段を介して入力された操作員の指示に基づいて、映像種類指定部724によってＰＣ１１に対しても指定できるようになっている。尚、評価映像８１及び基準映像８２の種類数は上記に限定されることはなく、適宜複数種類備えておき、任意に選択できるようにして良い。
【００２３】
映像信号情報量閾値超過判定機能部７３は、映像信号情報量閾値超過判定装置７１によって選択された上記の閾値Ｌ０と差分Ｌ１及び変動幅ΔＬとを用いて、情報量測定装置２２から入力した映像情報量レベルのデータに基づいて原画像６１に対する測定対象画像６１の映像遅延時間を測定する。尚、本実施形態では映像のフレーム数によって映像遅延時間を検出している。
【００２４】
即ち、映像信号情報量閾値超過判定機能部７３は、情報量測定装置２２から単位時間毎に入力した映像情報量レベルが基準映像情報量レベルＬ０からＬ１だけ超過し且つＬ０からＬ１だけ超過した映像信号の変動幅がΔＬ以内であれば単位時間毎にフレーム数積算器７４のカウンタを１つずつ増加させる。さらに、映像信号情報量閾値超過判定機能部７３は、変動幅がΔＬを超えた時点で、フレーム数積算器７４に対して積算値を出力装置７４に出力してカウンタを０にリセットするように指示する。ここで、フレーム数積算器７４から出力装置７４に与えられたフレーム数の積算値が映像遅延時間に相当する。本実施形態では１フレームの単位時間が３３ｍｓであるので、この単位時間にフレーム数積算値を乗算した値が映像遅延時間となる。
【００２５】
また、映像信号情報量閾値超過判定機能部７３は、変動幅がΔＬを超えたのち、再びＬ１からΔＬ以内に戻ったときに、単位時間毎にフレーム数積算器７４のカウンタを１つずつ増加させ、映像情報量レベルがＬ０に下がった時点で、フレーム数積算器７４に対して積算値を出力装置７４に出力してカウンタを０にリセットするように指示する。このとき、フレーム数積算器７４から出力装置７４に与えられたフレーム数の積算値も映像遅延時間に相当する。
【００２６】
出力装置７４は、画面表示やプリンタによる印字によって、映像遅延時間に相当するフレーム数と前述のように算出した映像遅延時間の値を出力する。
【００２７】
具体的には、図７に示すように情報量測定装置２２への入力映像の状態が変化し、原画像６１と測定対象画像６２の再生において、５つの状態が発生する。第１は、原画像６１と測定対象画像６２がともに基準映像８２の場合である（Ａ）。第２は、原画像６１において評価映像８１の再生が始まり、測定対象画像６２はまだ基準映像８２の場合である（Ｂ）。第３は、原画像６１における評価映像８１の再生に続き、測定対象画像６２において評価映像８１の再生が始まった場合である（Ｃ）。第４は原画像６１における評価映像８１の再生が終了して基準映像８２となり、測定対象画像６２の評価映像８１はまだ再生されている状態である（Ｄ）。第５は、原画像６１と測定対象画像６２の双方が基準映像８２になった場合である（Ｅ）。図８は、これらの状態を、横軸に経過時間をとり縦軸に映像情報量レベルをとって表したグラフである。ここで、第２（Ｂ）或いは第４（Ｄ）の状態の継続時間長を計測することによって、映像遅延時間を測定することができる。
【００２８】
図９は、図７及び図８に対応させて映像遅延時間測定に必要な映像情報量レベルのパラメータを示したものである。前述したように、Ｌ０は基準映像８２の映像情報量レベルであり、Ｌ１は評価映像８１と基準映像８２の映像情報量レベルの差分である。また、ΔＬは評価映像８１の映像情報量レベルの変動幅である。ここで、第１の状態（Ａ）から第２の状態（Ｂ）、もしくは、第３の状態（Ｃ）から第４の状態（Ｄ）に変動したとき、その変動幅がΔＬ以内であればフレーム数の積算を行う。
【００２９】
図１０は、本実施形態における映像遅延時間測定結果の有効性を示したグラフである。縦軸は本方法及び装置により測定した映像遅延フレーム数の結果であり、横軸は目視（手動）により測定した映像遅延フレーム数の値である。図から分かるように本実施形態における測定方法及び測定装置を用いて測定した映像遅延フレーム数と目視（手動）で求めた映像遅延フレーム数の関係には強い相関があり、本手法により目視測定を必要とすることなく、自動測定が可能であることがわかる。
【００３０】
図１１及び図１２は、ＰＣ１１における測定目的に応じた原画像６１の作成方法の一例を示したものである。図１１に示す原画像６１は、映像遅延時間を周期的に連続して測定するために用いる原画像であり、評価映像８１の時間長Ｔ１とグレー信号やブラック信号等の基準映像８２の時間長Ｔ２により測定単位時間長を設定することができ、評価映像８１と基準映像８２を複数回繰り返した原画像６１を生成することにより、長時間測定することが可能である。図１２に示す原画像６１は、映像の種類の違い（例えばサッカー映像と海の映像などの違い）による映像遅延時間の違いを観測するための原画像の一例を示したものであり、―定時間長Ｔ１の異なる種類の評価映像１〜評価映像５を一定時間長Ｔ２の基準映像８２を挟んで連結して原画像６１を生成することで、評価映像の種類毎の映像遅延時間を測定することができる。この様な原画像を用いたときは、出力装置７４によって映像遅延時間に相当するフレーム数と前述のように算出した映像遅延時間の値を画面表示やプリンタによる印字を行う際に、これらの値と共に時刻や評価映像の種類を同時に出力するようにしてもよい。
【００３１】
従来、映像配信事業者がユーザに配信される映像の品質状態を把握する場合、特に映像遅延時間をアプリケーションレベルで把握するためは、映像フレーム差を目視で測定する必要があったが、前述した実施形態の映像遅延時間測定方法或いはそのシステム又は装置を用いることにより、映像遅延時間を自動的に測定できると共に、映像遅延時間の変動を時系列で測定することができ、さらにはリアルタイムでの測定も可能となる。これにより、従来の人手作業による時間と労力を削減することができると共に、長時間に亘る測定が可能になる。
【００３２】
尚、本発明は上記実施形態の構成のみに限定されるものではない。例えば、上記実施形態では、信号処理部としてのインターネット５を経由した場合の伝送遅延による映像遅延時間を測定する場合を一例として説明したが、例えば、図１３に示すように信号処理部としての映像信号を符号化する符号化処理装置９１及び符号化された信号を復号化する復号化処理装置９２による映像遅延時間を測定することも容易に行うことができることは言うまでもない。
【００３３】
また、多地点テレビ会議における受信地点間の相対遅延時間を測定する場合には、各受信地点の映像を同一画面に表示させて情報量測定装置２２に取り込むことにより容易に相対遅延時間を測定することができる。さらに、多地点テレビ会議における発信地点と受信地点との間の絶対遅延時間を測定する場合には、発信地点から発信された原画像と受信地点において受信された測定対象画像を同一画面に表示させて情報量測定装置２２に取り込むことにより、各受信地点における絶対遅延時間を容易に測定することができる。また、各地点が遠隔地である場合は互いに同期させてそれぞれの地点において録画することにより、映像遅延時間の測定を容易に行うことができることは言うまでもないことである。
【図面の簡単な説明】
【００３４】
【図１】本発明の一実施形態における映像遅延時間測定システムを示す構成図
【図２】本発明の一実施形態における原画像の構成を説明する図
【図３】本発明の一実施形態における情報量測定装置への入力映像の一例を示す図
【図４】本発明の一実施形態における情報量測定装置への入力映像の取得例を説明する図
【図５】本発明の一実施形態における情報量測定装置への入力映像の取得例を説明する図
【図６】本発明の一実施形態における映像遅延時間演算処理装置を示す構成図
【図７】本発明の一実施形態における情報量測定装置への入力映像の状態変化を説明する図
【図８】本発明の一実施形態における情報量測定装置が出力する映像情報量レベルの変化を説明する図
【図９】本発明の一実施形態における映像遅延時間測定に必要な映像情報量レベルのパラメータを説明する図
【図１０】本発明の一本実施形態における映像遅延時間測定結果の有効性を示したグラフ
【図１１】本発明の一実施形態における原画像の他の構成例を示す図
【図１２】本発明の一実施形態における原画像の他の構成例を示す図
【図１３】本発明の一実施形態における符号化処理装置及び復号化処理装置の映像遅延時間測定例を示す図
【符号の説明】
【００３５】
１…映像遅延時間測定システム、２…受信端末装置、３…インターネットサービスプロバイダ（ＩＳＰ−Ａ）、４…インターネットサービスプロバイダ（ＩＳＰ−Ｂ）、５…インターネット、６…映像画面、６１…原画像、６２…測定対象画像、１１…パーソナルコンピュータ（ＰＣ）、１２…ビデオカメラ、１３…送信端末装置、２１…ビデオカメラ、２２…情報量測定装置、２３…映像遅延時間演算処理装置、２４…出力装置、２５…録画装置、２６…パーソナルコンピュータ、７１…映像信号情報量閾値超過判定装置、７２…閾値判定用テーブル、７３…映像信号情報量閾値超過判定機能部、７４…フレーム数積算器、８１…評価映像、８２…基準映像、９１…符号化処理装置、９２…復号化処理装置。
【図１】
2005184749.tif 000003
【図２】
2005184749.tif 000004
【図３】
2005184749.tif 000005
【図４】
2005184749.tif 000006
【図５】
2005184749.tif 000007
【図６】
2005184749.tif 000008
【図７】
2005184749.tif 000009
【図８】
2005184749.tif 000010
【図９】
2005184749.tif 000011
【図１０】
2005184749.tif 000012
【図１１】
2005184749.tif 000013
【図１２】
2005184749.tif 000014
【図１３】
2005184749.tif 000015